(57)【要約】【課題】多数のアンテナ素子を有する装置を校正する場合でも、簡単な構成で高精度に校正することができる校正装置を提供する。【解決手段】校正システム１は、基準信号を生成しアップコンバータ３４に出力する基準信号発生器４１と、アレーアンテナ３８の各アンテナ素子から送信された無線周波数の信号を受信する受信アンテナ４４と、受信アンテナ４４がアレーアンテナ３８の各アンテナ素子から受信した受信信号を中心周波数が無線周波数よりも低い被解析信号に周波数変換するダウンコンバータ４５と、ダウンコンバータ４５によって周波数変換された被解析信号に基づいてアレーアンテナ３８の各アンテナ素子にそれぞれ入力される入力信号の電力差及び位相差のうち少なくとも一方を校正する校正部４８と、基準信号生成器４１とアレーアンテナ３８の各アンテナ素子との接続を所定のタイミングで順次切り替えるＳＷ群３７と、を備える。【選択図】図１
2018100839.tif 000002
【特許請求の範囲】
【請求項１】
基準信号を無線周波数の信号に周波数変換するアップコンバート手段（３４）と、周波数変換された前記無線周波数の信号を送信する複数のアンテナ素子（３８ａ〜ｃ）と、を有する被測定装置（１０）を校正する校正装置であって、
前記基準信号を生成し前記アップコンバート手段に出力する基準信号生成手段（４１）と、
前記各アンテナ素子から送信された前記無線周波数の信号を受信する受信アンテナ（４４）と、
前記受信アンテナが前記各アンテナ素子から受信した受信信号を中心周波数が前記無線周波数よりも低い被解析信号に周波数変換するダウンコンバート手段（４５）と、
前記ダウンコンバート手段によって周波数変換された前記被解析信号に基づいて前記各アンテナ素子にそれぞれ入力される入力信号の電力差及び位相差のうち少なくとも一方を校正する校正手段（４８）と、
前記基準信号生成手段と前記各アンテナ素子との接続を所定のタイミングで順次切り替える切替手段（３７）と、
を備えたことを特徴とする校正装置。
【請求項２】
基準信号を生成する基準信号生成手段（２１）と、前記基準信号を無線周波数の信号に周波数変換するアップコンバート手段（３４）と、周波数変換された前記無線周波数の信号を送信する複数のアンテナ素子（３８ａ〜ｃ）と、を有する被測定装置（１０）を校正する校正装置であって、
前記各アンテナ素子から送信された前記無線周波数の信号を受信する受信アンテナ（４４）と、
前記受信アンテナが前記各アンテナ素子から受信した受信信号を中心周波数が前記無線周波数よりも低い被解析信号に周波数変換するダウンコンバート手段（４５）と、
前記ダウンコンバート手段によって周波数変換された前記被解析信号に基づいて前記各アンテナ素子にそれぞれ入力される入力信号の電力差及び位相差のうち少なくとも一方を校正する校正手段（４８）と、
前記基準信号生成手段と前記各アンテナ素子との接続を所定のタイミングで順次切り替える切替手段（３７）と、
を備えたことを特徴とする校正装置。
【請求項３】
前記被測定装置は、前記基準信号生成手段と前記各アンテナ素子との間に、前記入力信号の電力を増幅する増幅器（３５）と、前記入力信号の位相を調整する移相器（３６）とのうち少なくとも一方を備えたことを特徴とする請求項１又は請求項２に記載の校正装置。
【請求項４】
無線周波数の信号を受信する複数のアンテナ素子（７４ａ〜ｃ）と、受信した前記無線周波数の信号を中心周波数が前記無線周波数よりも低い被解析信号に周波数変換するダウンコンバート手段（７３）と、を有する被測定装置（５０）を校正する校正装置であって、
基準信号を生成する基準信号生成手段（４１）と、
生成された前記基準信号を無線周波数の信号に周波数変換するアップコンバート手段（８１）と、
周波数変換された前記無線周波数の信号を送信する送信アンテナ（８２）と、
前記送信アンテナから送信され、前記各アンテナ素子で受信した受信信号が前記ダウンコンバート手段によって周波数変換された前記被解析信号に基づいて前記各アンテナ素子からそれぞれ出力される出力信号の電力差及び位相差のうち少なくとも一方を解析する受信解析手段（４７）と、
前記受信解析手段の解析結果に基づいて校正する校正手段（４８）と、
前記各アンテナ素子と前記受信解析手段との接続を所定のタイミングで順次切り替える切替手段（３７）と、
を備えたことを特徴とする校正装置。
【請求項５】
無線周波数の信号を受信する複数のアンテナ素子（７４ａ〜ｃ）と、受信した前記無線周波数の信号を中心周波数が前記無線周波数よりも低い被解析信号に周波数変換するダウンコンバート手段（７３）と、を有する被測定装置（５０）を校正する校正装置であって、
基準信号を生成する基準信号生成手段（４１）と、
生成された前記基準信号を無線周波数の信号に周波数変換するアップコンバート手段（８１）と、
周波数変換された前記無線周波数の信号を送信する送信アンテナ（８２）と、
を備え、
前記被測定装置は、
前記送信アンテナから送信され、前記各アンテナ素子で受信した受信信号が前記ダウンコンバート手段によって周波数変換された前記被解析信号に基づいて前記各アンテナ素子からそれぞれ出力される出力信号の電力差及び位相差のうち少なくとも一方を解析する受信解析手段（６２）と、
前記受信解析手段の解析結果に基づいて校正する校正手段（６３）と、
を備え、
前記各アンテナ素子と前記受信解析手段との接続を所定のタイミングで順次切り替える切替手段（３７）を備えたことを特徴とする校正装置。
【請求項６】
前記被測定装置は、前記各アンテナ素子と前記受信解析手段との間に、前記出力信号の電力を増幅する増幅器（３５）と、前記出力信号の位相を調整する移相器（３６）とのうち少なくとも一方を備えたことを特徴とする請求項４又は請求項５に記載の校正装置。
【請求項７】
前記基準信号生成手段は、前記各アンテナ素子が対応可能な帯域幅以上の帯域幅を有する基準信号を生成するものであることを特徴とする請求項１から請求項６までのいずれか１項に記載の校正装置。
【請求項８】
基準信号を無線周波数の信号に周波数変換するアップコンバート手段（３４）と、周波数変換された前記無線周波数の信号を送信する複数のアンテナ素子（３８ａ〜ｃ）と、を有する被測定装置（１０）を校正する請求項１に記載の校正装置を用いた校正方法であって、
前記基準信号を生成し前記アップコンバート手段に出力する基準信号生成ステップ（Ｓ１３）と、
前記各アンテナ素子から送信された前記無線周波数の信号を受信する受信ステップ（Ｓ１７）と、
前記受信ステップにおいて前記各アンテナ素子から受信した受信信号を中心周波数が前記無線周波数よりも低い被解析信号に周波数変換するダウンコンバートステップ（Ｓ１８）と、
前記ダウンコンバートステップにおいて周波数変換された前記被解析信号に基づいて前記各アンテナ素子にそれぞれ入力される入力信号の電力差及び位相差のうち少なくとも一方を校正する校正ステップ（Ｓ２０）と、
前記基準信号生成手段と前記各アンテナ素子との接続を所定のタイミングで順次切り替える切替ステップ（Ｓ１５）と、
を含むことを特徴とする校正方法。
【請求項９】
無線周波数の信号を受信する複数のアンテナ素子（７４ａ〜ｃ）と、受信した前記無線周波数の信号を中心周波数が前記無線周波数よりも低い被解析信号に周波数変換するダウンコバート手段（７３）と、を有する被測定装置を校正する請求項４に記載の校正装置を用いた校正方法であって、
基準信号を生成する基準信号生成ステップ（Ｓ１３）と、
生成された前記基準信号を無線周波数の信号に周波数変換するアップコンバートステップ（Ｓ３２）と、
周波数変換された前記無線周波数の信号を送信する送信ステップ（Ｓ３３）と、
前記送信アンテナから送信され、前記各アンテナ素子で受信した受信信号を前記被解析信号に周波数変換するダウンコンバートステップ（Ｓ１８）と、
前記ダウンコンバートステップにおいて周波数変換された前記被解析信号に基づいて前記各アンテナ素子からそれぞれ出力される出力信号の電力差及び位相差のうち少なくとも一方を解析する受信解析ステップ（Ｓ１９）と、
前記受信解析ステップの解析結果に基づいて校正する校正ステップ（Ｓ２０）と、
前記各アンテナ素子と前記受信解析手段との接続を所定のタイミングで順次切り替える切替ステップ（Ｓ１５）と、
を含むことを特徴とする校正方法。
【発明の詳細な説明】
【技術分野】
【０００１】
本発明は、例えば、アレーアンテナを備えた装置を校正する校正装置及び校正方法に関する。
【背景技術】
【０００２】
従来、この種の装置としては、互いに直交する信号を各アンテナ素子に同時に出力してアンテナ素子間の位相差を算出するアレーアンテナ校正装置が知られている（例えば、特許文献１参照）。
【０００３】
特許文献１に記載されたものは、各アンテナ素子に相互に直交した原校正信号を供給する供給手段と、各アンテナ素子から放射され、それに隣接するアンテナ素子で受信された校正信号と、該受信された校正信号に係る原校正信号との相関を計算することにより、各アンテナ素子の位相振幅特性を求める位相振幅特性計算手段と、各アンテナ素子の位相振幅特性を基に全てのアンテナ素子間の相対校正係数を求める相対校正係数計算手段と、相対校正係数を基に各アンテナ素子に供給すべき基準信号を校正する校正手段と、を備える。
【０００４】
この構成により、外部に校正受信局を設けることなく、アンテナ素子の放射特性まで含めた振幅及び位相特性のばらつきを補正することができると特許文献１には記載されている。
【先行技術文献】
【特許文献】
【０００５】
【特許文献１】特開２００３−２１８６２１号公報
【発明の概要】
【発明が解決しようとする課題】
【０００６】
しかしながら、特許文献１に記載の従来のものでは、校正対象のアンテナ素子数が増大すると、校正が煩雑となり、校正の精度も劣化するという課題があった。
【０００７】
具体的には、従来のものでは、アンテナ素子で受信された校正信号と原校正信号との相関を計算する構成となっているので、マッシブＭＩＭＯ（Massive Multi-Input Multi-Output）のように多数のアンテナ素子（例えば２５６素子）を有する装置を校正する場合には、校正が煩雑になるという課題があった。
【０００８】
また、従来のものでは、多数のアンテナ素子を有する装置を校正する場合には、アンテナ素子間の経路差による時間差によって完全直交しない成分同士の干渉が校正信号間で発生し、校正の精度が劣化するという課題があった。
【０００９】
本発明は、従来の課題を解決するためになされたものであり、多数のアンテナ素子を有する装置を校正する場合でも、簡単な構成で高精度に校正することができる校正装置及び校正方法を提供することを目的とする。
【課題を解決するための手段】
【００１０】
本発明の請求項１に係る校正装置は、基準信号を無線周波数の信号に周波数変換するアップコンバート手段（３４）と、周波数変換された前記無線周波数の信号を送信する複数のアンテナ素子（３８ａ〜ｃ）と、を有する被測定装置（１０）を校正する校正装置であって、前記基準信号を生成し前記アップコンバート手段に出力する基準信号生成手段（４１）と、前記各アンテナ素子から送信された前記無線周波数の信号を受信する受信アンテナ（４４）と、前記受信アンテナが前記各アンテナ素子から受信した受信信号を中心周波数が前記無線周波数よりも低い被解析信号に周波数変換するダウンコンバート手段（４５）と、前記ダウンコンバート手段によって周波数変換された前記被解析信号に基づいて前記各アンテナ素子にそれぞれ入力される入力信号の電力差及び位相差のうち少なくとも一方を校正する校正手段（４８）と、前記基準信号生成手段と前記各アンテナ素子との接続を所定のタイミングで順次切り替える切替手段（３７）と、を備えた構成を有している。
【００１１】
この構成により、本発明の請求項１に係る校正装置は、基準信号生成手段と各アンテナ素子との接続を所定のタイミングで順次切り替える切替手段を備えるので、多数のアンテナ素子を有する装置を校正する場合でも、従来のもののように、校正が煩雑になったり、完全直交しない成分同士の干渉が校正信号間で発生したりすることがない。
【００１２】
したがって、本発明の請求項１に係る校正装置は、多数のアンテナ素子を有する装置を校正する場合でも、簡単な構成で高精度に校正することができる。
【００１３】
本発明の請求項２に係る校正装置は、基準信号を生成する基準信号生成手段（２１）と、前記基準信号を無線周波数の信号に周波数変換するアップコンバート手段（３４）と、周波数変換された前記無線周波数の信号を送信する複数のアンテナ素子（３８ａ〜ｃ）と、を有する被測定装置（１０）を校正する校正装置であって、前記各アンテナ素子から送信された前記無線周波数の信号を受信する受信アンテナ（４４）と、前記受信アンテナが前記各アンテナ素子から受信した受信信号を中心周波数が前記無線周波数よりも低い被解析信号に周波数変換するダウンコンバート手段（４５）と、前記ダウンコンバート手段によって周波数変換された前記被解析信号に基づいて前記各アンテナ素子にそれぞれ入力される入力信号の電力差及び位相差のうち少なくとも一方を校正する校正手段（４８）と、前記基準信号生成手段と前記各アンテナ素子との接続を所定のタイミングで順次切り替える切替手段（３７）と、を備えた構成を有している。
【００１４】
この構成により、本発明の請求項２に係る校正装置は、基準信号生成手段と各アンテナ素子との接続を所定のタイミングで順次切り替える切替手段を備えるので、多数のアンテナ素子を有する装置を校正する場合でも、従来のもののように、校正が煩雑になったり、完全直交しない成分同士の干渉が校正信号間で発生したりすることがない。
【００１５】
したがって、本発明の請求項２に係る校正装置は、多数のアンテナ素子を有する装置を校正する場合でも、簡単な構成で高精度に校正することができる。
【００１６】
本発明の請求項３に係る校正装置は、前記被測定装置は、前記基準信号生成手段と前記各アンテナ素子との間に、前記入力信号の電力を増幅する増幅器（３５）と、前記入力信号の位相を調整する移相器（３６）とのうち少なくとも一方を備えた構成を有している。
【００１７】
この構成により、本発明の請求項３に係る校正装置は、増幅器及び移相器の少なくとも一方を校正することができる。
【００１８】
本発明の請求項４に係る校正装置は、無線周波数の信号を受信する複数のアンテナ素子（７４ａ〜ｃ）と、受信した前記無線周波数の信号を中心周波数が前記無線周波数よりも低い被解析信号に周波数変換するダウンコンバート手段（７３）と、を有する被測定装置（５０）を校正する校正装置であって、基準信号を生成する基準信号生成手段（４１）と、生成された前記基準信号を無線周波数の信号に周波数変換するアップコンバート手段（８１）と、周波数変換された前記無線周波数の信号を送信する送信アンテナ（８２）と、前記送信アンテナから送信され、前記各アンテナ素子で受信した受信信号が前記ダウンコンバート手段によって周波数変換された前記被解析信号に基づいて前記各アンテナ素子からそれぞれ出力される出力信号の電力差及び位相差のうち少なくとも一方を解析する受信解析手段（４７）と、前記受信解析手段の解析結果に基づいて校正する校正手段（４８）と、前記各アンテナ素子と前記受信解析手段との接続を所定のタイミングで順次切り替える切替手段（３７）と、を備えた構成を有している。
【００１９】
この構成により、本発明の請求項４に係る校正装置は、各アンテナ素子と校正手段との接続を所定のタイミングで順次切り替える切替手段を備えるので、多数のアンテナ素子を有する装置を校正する場合でも、従来のもののように、校正が煩雑になったり、完全直交しない成分同士の干渉が校正信号間で発生したりすることがない。
【００２０】
したがって、本発明の請求項４に係る校正装置は、多数のアンテナ素子を有する装置を校正する場合でも、簡単な構成で高精度に校正することができる。
【００２１】
本発明の請求項５に係る校正装置は、無線周波数の信号を受信する複数のアンテナ素子（７４ａ〜ｃ）と、受信した前記無線周波数の信号を中心周波数が前記無線周波数よりも低い被解析信号に周波数変換するダウンコンバート手段（７３）と、を有する被測定装置（５０）を校正する校正装置であって、基準信号を生成する基準信号生成手段（４１）と、生成された前記基準信号を無線周波数の信号に周波数変換するアップコンバート手段（８１）と、周波数変換された前記無線周波数の信号を送信する送信アンテナ（８２）と、を備え、前記被測定装置は、前記送信アンテナから送信され、前記各アンテナ素子で受信した受信信号が前記ダウンコンバート手段によって周波数変換された前記被解析信号に基づいて前記各アンテナ素子からそれぞれ出力される出力信号の電力差及び位相差のうち少なくとも一方を解析する受信解析手段（６２）と、前記受信解析手段の解析結果に基づいて校正する校正手段（６３）と、を備え、前記各アンテナ素子と前記受信解析手段との接続を所定のタイミングで順次切り替える切替手段（３７）を備えた構成を有している。
【００２２】
この構成により、本発明の請求項５に係る校正装置は、各アンテナ素子と校正手段との接続を所定のタイミングで順次切り替える切替手段を備えるので、多数のアンテナ素子を有する装置を校正する場合でも、従来のもののように、校正が煩雑になったり、完全直交しない成分同士の干渉が校正信号間で発生したりすることがない。
【００２３】
したがって、本発明の請求項５に係る校正装置は、多数のアンテナ素子を有する装置を校正する場合でも、簡単な構成で高精度に校正することができる。
【００２４】
本発明の請求項６に係る校正装置は、前記被測定装置は、前記各アンテナ素子と前記受信解析手段との間に、前記出力信号の電力を増幅する増幅器（３５）と、前記出力信号の位相を調整する移相器（３６）とのうち少なくとも一方を備えた構成を有している。
【００２５】
この構成により、本発明の請求項６に係る校正装置は、増幅器及び移相器の少なくとも一方を所望の値に調整することにより被測定装置を校正することができる。
【００２６】
本発明の請求項７に係る校正装置は、前記基準信号生成手段は、前記各アンテナ素子が対応可能な帯域幅以上の帯域幅を有する基準信号を生成するものである構成を有している。
【００２７】
この構成により、本発明の請求項７に係る校正装置は、広帯域の校正値を一度に取得することができる。
【００２８】
本発明の請求項８に係る校正方法は、基準信号を無線周波数の信号に周波数変換するアップコンバート手段（３４）と、周波数変換された前記無線周波数の信号を送信する複数のアンテナ素子（３８ａ〜ｃ）と、を有する被測定装置（１０）を校正する請求項１に記載の校正装置を用いた校正方法であって、前記基準信号を生成し前記アップコンバート手段に出力する基準信号生成ステップ（Ｓ１３）と、前記各アンテナ素子から送信された前記無線周波数の信号を受信する受信ステップ（Ｓ１７）と、前記受信ステップにおいて前記各アンテナ素子から受信した受信信号を中心周波数が前記無線周波数よりも低い被解析信号に周波数変換するダウンコンバートステップ（Ｓ１８）と、前記ダウンコンバートステップにおいて周波数変換された前記被解析信号に基づいて前記各アンテナ素子にそれぞれ入力される入力信号の電力差及び位相差のうち少なくとも一方を校正する校正ステップ（Ｓ２０）と、前記基準信号生成手段と前記各アンテナ素子との接続を所定のタイミングで順次切り替える切替ステップ（Ｓ１５）と、を含む構成を有している。
【００２９】
この構成により、本発明の請求項８に係る校正方法は、基準信号生成手段と各アンテナ素子との接続を所定のタイミングで順次切り替えるので、多数のアンテナ素子を有する装置を校正する場合でも、従来のもののように、校正が煩雑になったり、完全直交しない成分同士の干渉が校正信号間で発生したりすることがない。
【００３０】
したがって、本発明の請求項８に係る校正装置は、多数のアンテナ素子を有する装置を校正する場合でも、簡単な構成で高精度に校正することができる。
【００３１】
本発明の請求項９に係る校正方法は、無線周波数の信号を受信する複数のアンテナ素子（７４ａ〜ｃ）と、受信した前記無線周波数の信号を中心周波数が前記無線周波数よりも低い被解析信号に周波数変換するダウンコバート手段（７３）と、を有する被測定装置を校正する請求項４に記載の校正装置を用いた校正方法であって、基準信号を生成する基準信号生成ステップ（Ｓ１３）と、生成された前記基準信号を無線周波数の信号に周波数変換するアップコンバートステップ（Ｓ３２）と、周波数変換された前記無線周波数の信号を送信する送信ステップ（Ｓ３３）と、前記送信アンテナから送信され、前記各アンテナ素子で受信した受信信号を前記被解析信号に周波数変換するダウンコンバートステップ（Ｓ１８）と、前記ダウンコンバートステップにおいて周波数変換された前記被解析信号に基づいて前記各アンテナ素子からそれぞれ出力される出力信号の電力差及び位相差のうち少なくとも一方を解析する受信解析ステップ（Ｓ１９）と、前記受信解析ステップの解析結果に基づいて校正する校正ステップ（Ｓ２０）と、前記各アンテナ素子と前記受信解析手段との接続を所定のタイミングで順次切り替える切替ステップ（Ｓ１５）と、を含む構成を有している。
【００３２】
この構成により、本発明の請求項９に係る校正方法は、各アンテナ素子と校正手段との接続を所定のタイミングで順次切り替えるので、多数のアンテナ素子を有する装置を校正する場合でも、従来のもののように、校正が煩雑になったり、完全直交しない成分同士の干渉が校正信号間で発生したりすることがない。
【００３３】
したがって、本発明の請求項９に係る校正装置は、多数のアンテナ素子を有する装置を校正する場合でも、簡単な構成で高精度に校正することができる。
【発明の効果】
【００３４】
本発明は、多数のアンテナ素子を有する装置を校正する場合でも、簡単な構成で高精度に校正することができるという効果を有する校正装置及び校正方法を提供することができるものである。
【図面の簡単な説明】
【００３５】
【図１】本発明に係る校正装置の第１実施形態におけるブロック構成図である。
【図２】本発明に係る校正装置の第１実施形態におけるフローチャートである。
【図３】本発明に係る校正装置の第２実施形態におけるブロック構成図である。
【図４】本発明に係る校正装置の第２実施形態におけるフローチャートである。
【発明を実施するための形態】
【００３６】
以下、本発明の実施形態について図面を用いて説明する。なお、本発明の校正装置を備えた校正システムを例に挙げて説明する。
【００３７】
（第１実施形態）
まず、本発明に係る校正システムの第１実施形態における構成について説明する。
【００３８】
図１に示すように、本実施形態における校正システム１は、校正対象である被測定装置としての基地局１０と、基地局１０の送信特性の校正を行うための測定を行う測定装置４０と、を備えている。
【００３９】
基地局１０は、メインボード２０と、ＲＦ／ＡＮＴボード３０と、を備えている。
【００４０】
メインボード２０は、基準信号発生器２１、ＤＡＣ（デジタル・アナログコンバータ）２２、ＳＷ（スイッチ）切替部２３を備えている。
【００４１】
ＲＦ／ＡＮＴボード３０は、切替ＳＷ３１及び３２、ＳＷ切替部３３、ＵＣ（アップコンバータ）３４、増幅器群３５、移相器群３６、ＳＷ群３７、アレーアンテナ３８を備えている。
【００４２】
測定装置４０は、基準信号発生器４１、ＤＡＣ４２、ＳＷ切替部４３、受信アンテナ４４、ＤＣ（ダウンコンバータ）４５、ＡＤＣ（アナログ・デジタルコンバータ）４６、受信解析部４７、校正部４８を備えている。
【００４３】
本実施形態における校正システム１は、測定装置４０の基準信号発生器４１からの基準信号（後述）を用いて基地局１０内のＲＦ／ＡＮＴボード３０を校正するモード（以下、単に「ＡＮＴボード校正モード」という）と、基地局１０のメインボード２０内の基準信号発生器２１からの基準信号（後述）を用いて基地局１０全体を校正するモード（以下、単に「基地局校正モード」という）と、を有する。以下、校正システム１の詳細な構成について説明する。
【００４４】
まず、基地局１０のメインボード２０の構成について説明する。
【００４５】
基準信号発生器２１は、校正用のベースバンド信号を発生可能であって、アレーアンテナ３８が備える各アンテナ素子が対応可能な帯域幅以上の帯域幅を有する基準信号を生成するものである。この基準信号は、例えばＯＦＤＭ通信方式で用いられる信号のような広帯域の変調波の信号である。また、基準信号は、具体的には、例えばＯＦＤＭ通信方式で用いられるパイロット信号のような電力及び位相が既知の信号である。この種の基準信号を用いることにより、本実施形態における校正システム１は、広帯域の校正値を一度に短時間で取得することが可能となっている。
【００４６】
さらに具体的には、各アンテナ素子が対応可能な周波数が、例えばミリ波帯で中心周波数２８ＧＨｚ、帯域幅１ＧＨｚであれば、基準信号発生器２１は、２７．５ＧＨｚ〜２８．５ＧＨｚの帯域幅以上の帯域幅を有する広帯域な基準信号を生成するものである。この基準信号発生器２１は、基地局校正モードにおける基準信号生成手段の一例である。
【００４７】
なお、従来のものでは、例えば帯域幅１ＧＨｚのように広帯域の信号を校正する場合には、帯域幅内の周波数特性を考慮して多数ポイントの周波数の校正値を求める必要があったため校正に長時間を要していた。これに対し、本実施形態では、前述のような広帯域の基準信号を用いるので、広帯域の校正値を一度に短時間で取得することができ、校正の短時間化を図ることができる。
【００４８】
ＤＡＣ２２は、基準信号発生器２１が発生した変調波の基準信号をデジタル値からアナログ値に変換し、ＲＦ／ＡＮＴボード３０に出力するようになっている。
【００４９】
ＳＷ切替部２３は、ＲＦ／ＡＮＴボード３０の切替ＳＷ３２を介してＲＦ／ＡＮＴボード３０のＳＷ群３７に制御信号を出力し、ＳＷ群３７に含まれる各ＳＷを所定のタイミングで順次切り替えるようになっている。ＳＷ切替部２３は、各ＳＷを切り替えるタイミングとして、例えば、基地局１０がＯＦＤＭ通信方式で動作する場合には、１フレームごと、１サブフレームごと、又は１シンボルごとというように予め定められたデータの単位ごとの切替時間間隔で切り替えるのが好ましい。ＳＷ切替部２３は、ＳＷ群３７の中の１つのＳＷのみをオン、その他のＳＷをオフとし、オンとするＳＷを順次切り替える制御を行う。
【００５０】
次に、基地局１０のＲＦ／ＡＮＴボード３０の構成について説明する。
【００５１】
切替ＳＷ３１は、ＳＷ切替部３３からの制御信号に基づいて、ＤＡＣ２２又はＤＡＣ４２とＵＣ３４とを接続するようになっている。
【００５２】
切替ＳＷ３２は、ＳＷ切替部３３からの制御信号に基づいて、ＳＷ切替部２３又はＳＷ切替部４３とＳＷ群３７とを接続するようになっている。
【００５３】
ＳＷ切替部３３は、切替ＳＷ３１及び切替ＳＷ３２の切替動作を制御するようになっている。
【００５４】
具体的には、ＳＷ切替部３３は、ＡＮＴボード校正モードにおいて、測定装置４０のＤＡＣ４２とＵＣ３４とを接続するよう切替ＳＷ３１に制御信号を出力するとともに、測定装置４０のＳＷ切替部４３とＳＷ群３７とを接続するよう切替ＳＷ３２に制御信号を出力するようになっている。また、ＳＷ切替部３３は、基地局校正モードにおいて、メインボード２０のＤＡＣ２２とＵＣ３４とを接続するよう切替ＳＷ３１に制御信号を出力するとともに、メインボード２０のＳＷ切替部２３とＳＷ群３７とを接続するよう切替ＳＷ３２に制御信号を出力するようになっている。
【００５５】
ＵＣ３４は、ＤＡＣ２２又はＤＡＣ４２から入力した基準信号を所定の無線周波数の信号に周波数変換し、周波数変換した信号を増幅器群３５に含まれる各増幅器に分配して出力するようになっている。
【００５６】
増幅器群３５は、入力信号の電力を増幅する複数の増幅器を備えている。増幅器群３５は、増幅器３５ａ〜３５ｃを含む。増幅器群３５に含まれる各増幅器の増幅率は、校正部４８によって所定の値に設定可能になっている。
【００５７】
移相器群３６は、入力信号の位相を調整する複数の移相器を備えている。移相器群３６は、移相器３６ａ〜３６ｃを含む。移相器群３６に含まれる各移相器の位相調整値は、校正部４８によって所定の値に設定可能になっている。
【００５８】
ＳＷ群３７は、ＳＷ切替部２３又はＳＷ切替部４３からの制御信号に基づいて、移相器群３６と複数のアンテナ素子との経路を所定のタイミングで順次切り替える複数のＳＷを備えている。このＳＷ群３７は、基準信号発生器２１又は４１と各アンテナとの間の経路を所定のタイミングで順次切り替えるようになっている。ＳＷ群３７は、ＳＷ３７ａ〜３７ｃを含み、ＳＷ切替部２３により、例えば、まずＳＷ３７ａのみがオンで他のＳＷはすべてオフ、次にＳＷ３７ｂのみがオンで他のＳＷはすべてオフ、次にＳＷ３７ｃのみがオンで他のＳＷはすべてオフ、というように切替制御される。なお、ＳＷ群３７は、切替手段の一例である。
【００５９】
アレーアンテナ３８は、複数のアンテナ素子を備えている。各アンテナ素子は、例えばマイクロストリップアンテナのような平面アンテナで構成され、無線周波数の信号（電波）を受信アンテナ４４に送信するようになっている。アレーアンテナ３８は、アンテナ素子３８ａ〜３８ｃを含む。
【００６０】
次に、測定装置４０の構成について説明する。
【００６１】
基準信号発生器４１は、前述の基準信号発生器２１と同様に、アレーアンテナ３８が備える各アンテナ素子が対応可能な帯域幅以上の帯域幅を有する広帯域な基準信号を生成するようになっている。この基準信号発生器４１は、ＡＮＴボード校正モードにおける基準信号生成手段の一例である。
【００６２】
ＤＡＣ４２は、基準信号発生器４１が発生した変調波の基準信号をデジタル値からアナログ値に変換し、ＲＦ／ＡＮＴボード３０に出力するようになっている。
【００６３】
ＳＷ切替部４３は、前述のＳＷ切替部２３と同様に、切替ＳＷ３２を介してＲＦ／ＡＮＴボード３０のＳＷ群３７に制御信号を出力し、ＳＷ群３７に含まれる各ＳＷを所定のタイミングで順次切り替えるようになっている。
【００６４】
ＳＷ切替部４３が各ＳＷを切り替えるタイミングは、基地局１０側とで共有されている。例えば、スタート時のトリガタイミングと、クロックとを基地局１０側と測定装置４０側とで共有して、予め決められたタイミングで、送信で使われるアンテナ素子が切り替わるようにする。また、例えば、切替タイミング用の制御信号を基地局１０側と測定装置４０側とでやり取りする手段を設け、基準信号を含む電波を送信するアンテナ素子を測定装置４０から基地局１０に対して指定する構成や、基準信号を含む電波を送信するアンテナ素子を基地局１０が決定して測定装置４０に通知する構成とすることができる。
【００６５】
受信アンテナ４４は、アレーアンテナ３８の各アンテナ素子から送信された無線周波数の信号（電波）を受信し、ＤＣ４５に出力するようになっている。前述のように、ＳＷ切替部２３又は４３によってアレーアンテナ３８のアンテナ素子が所定のタイミングで順次切り替えるので、受信アンテナ４４は、各アンテナ素子の送信信号を所定のタイミングで順次受信することとなる。
【００６６】
ＤＣ４５は、受信アンテナ４４が各アンテナ素子から順次受信した受信信号をベースバンドの信号に周波数変換し、ＡＤＣ４６に出力するようになっている。このＤＣ４５は、ダウンコンバート手段の一例である。
【００６７】
ＡＤＣ４６は、ＤＣ４５が周波数変換した信号をアナログ値からデジタル値に変換し、受信解析部４７に出力するようになっている。
【００６８】
受信解析部４７は、ＤＣ４５から出力されるベースバンドの信号を解析するようになっている。具体的には、受信解析部４７は、ＳＷ切替部２３又は４３によってアレーアンテナ３８のアンテナ素子が所定のタイミングで順次切り替えるに従って、アレーアンテナ３８のアンテナ素子からの周波数変換後の信号について、電力及び位相を求める。この受信解析部４７は、受信解析手段を構成する。
【００６９】
また、受信解析部４７は、予め定められた電力基準値に対する電力差をアレーアンテナ３８のアンテナ素子ごとに求める。また、受信解析部４７は、予め定められた１つのアンテナ素子の位相を基準位相として、その基準位相に対する位相差をアレーアンテナ３８のアンテナ素子ごとに求める。なお、受信解析部４７は、ＲＦ／ＡＮＴボード３０のＳＷ群３７の切替によるデータへの影響がない範囲のデータを解析するようになっている。
【００７０】
校正部４８は、ＤＣ４５によって周波数変換されたベースバンドの信号に基づいて、各アンテナ素子にそれぞれ入力される入力信号の電力差及び位相差を校正するようになっている。具体的には、校正部４８は、電力基準値に対して各アンテナ素子に順次入力される信号の電力が所定の公差内に収まるよう、また、基準位相に対して各アンテナ素子に順次入力される信号の位相が所定の公差内に収まるよう、各アンテナ素子の電力及び位相を校正するようになっている。なお、校正部４８は、校正手段の一例である。
【００７１】
前述の構成において、基準信号発生器２１又は４１、受信アンテナ４４、ＤＣ４５、校正部４８、ＳＷ群３７は、本発明に係る校正装置を構成する。
【００７２】
なお、本実施形態では、校正部４８が、入力信号の電力差及び位相差の両方を校正するものとしているが、入力信号の電力差及び位相差のうち少なくとも一方を校正するものであってもよい。
【００７３】
次に、本実施形態における校正システム１の動作について図２を用いて説明する。
【００７４】
基地局１０及び測定装置４０の操作部（図示省略）を利用者が操作することにより、初期設定が行われる（ステップＳ１１）。
【００７５】
初期設定としては、ＡＮＴボード校正モード又は基地局校正モードのいずれかを指定するモード設定、基準信号発生器２１又は４１に発生させるベースバンドの基準信号の設定、増幅器群３５及び移相器群３６の初期値の設定等がある。なお、ＳＷ群３７に含まれる全ＳＷは、初期状態ではオフに設定されている。
【００７６】
モード設定において、ＡＮＴボード校正モードが設定されたものとして以下説明する。
【００７７】
ＳＷ切替部３３は、切替ＳＷ３１の入力側を測定装置４０のＤＡＣ４２側に、切替ＳＷ３２の入力側を測定装置４０のＳＷ切替部４３側に、それぞれ設定する（ステップＳ１２）。
【００７８】
基準信号発生器４１は、初期設定で設定されたベースバンドの基準信号を発生し（ステップＳ１３）、ＤＡＣ４２に出力する。ＤＡＣ４２は、入力した基準信号をデジタル値からアナログ値に変換し、切替ＳＷ３１を介してＵＣ３４に出力する。
【００７９】
ＵＣ３４は、入力したアナログ値の基準信号を所定の無線周波数の信号に周波数変換し（ステップＳ１４）、周波数変換した信号を増幅器群３５に含まれる各増幅器に分配して出力する。
【００８０】
増幅器群３５は、入力信号の電力を予め設定された増幅率で増幅し、移相器群３６に出力する。移相器群３６は、入力信号の位相を予め設定された位相に調整し、ＳＷ群３７に出力する。
【００８１】
ＳＷ群３７は、ＳＷ切替部４３からの制御信号に基づいて、各ＳＷを所定のタイミングで順次切り替える（ステップＳ１５）。具体的には、まず、ＳＷ群３７は、ＳＷ３７ａのみをオフからオンに切り替え、所定の時間経過後オフにする。次に、ＳＷ群３７は、ＳＷ３７ｂのみをオフからオンに切り替え、所定の時間経過後オフにする。続いて、ＳＷ群３７は、ＳＷ３７ｃのみをオフからオンに切り替え、所定の時間経過後オフにする。
【００８２】
アレーアンテナ３８は、ＳＷ群３７の切り替え動作に応じて、アンテナ素子３８ａ、３８ｂ、３８ｃ、・・・から所定のタイミングで順次、無線周波数の信号（電波）を送信する（ステップＳ１６）。
【００８３】
受信アンテナ４４は、アレーアンテナ３８から送信される無線周波数の信号を順次受信し（ステップＳ１７）、ＤＣ４５に出力する。
【００８４】
ＤＣ４５は、受信アンテナ４４が各アンテナ素子から順次受信した受信信号をベースバンドの信号に周波数変換し（ステップＳ１８）、ＡＤＣ４６に出力する。ＡＤＣ４６は、ＤＣ４５が周波数変換した信号をアナログ値からデジタル値に変換し、受信解析部４７に出力する。
【００８５】
受信解析部４７は、ＤＣ４５から出力されるベースバンドの信号を解析し（ステップＳ１９）、予め定められた電力基準値に対する電力差をアンテナ素子ごとに求める。また、受信解析部４７は、予め定められた１つのアンテナ素子の位相を基準位相として、その基準位相に対する位相差をアンテナ素子ごとに求める。
【００８６】
校正部４８は、電力基準値に対して各アンテナ素子に順次入力される入力信号の電力が所定の公差内に収まるよう、また、基準位相に対して各アンテナ素子に順次入力される入力信号の位相が所定の公差内に収まるよう、各アンテナ素子の電力及び位相を校正する（ステップＳ２０）。
【００８７】
なお、基地局校正モードでは、ＳＷ切替部２３、基準信号発生器２１及びＤＡＣ２２が、それぞれ、前述のＳＷ切替部４３、基準信号発生器４１及びＤＡＣ４２に代わって各処理を実行する。
【００８８】
以上のように、本実施形態における校正システム１は、基準信号発生器２１又は４１とアレーアンテナ３８の各アンテナ素子との接続を所定のタイミングで順次切り替えるＳＷ群３７を備える構成としたので、多数のアンテナ素子を有する装置を校正する場合でも、従来のものとは異なり、校正が煩雑になったり、完全直交しない成分同士の干渉が校正信号間で発生したりすることがない。
【００８９】
したがって、本実施形態における校正システム１は、多数のアンテナ素子を有する装置を校正する場合でも、簡単な構成で高精度に校正することができる。
【００９０】
なお、前述の実施形態において、被測定装置として基地局を例に挙げて説明したが、本発明はこれに限定されるものではなく、例えばＯＦＤＭ通信方式で通信する端末装置であっても同様な効果が得られる。
【００９１】
また、前述の実施形態において、基準信号発生器２１からアレーアンテナ３８までの経路を１つの経路として説明したが、本発明はこれに限定されるものではなく、この経路を複数の並列経路に分割した構成としてもよい。
【００９２】
（第２実施形態）
まず、本発明に係る校正システムの第２実施形態における構成について説明する。
【００９３】
図３に示すように、本実施形態における校正システム２は、校正対象である被測定装置としての基地局５０と、基地局５０の受信特性の校正を行うための測定を行う測定装置８０と、を備えている。なお、第１実施形態（図１参照）と同様な構成要素には同一の符号を付し、重複する構成の説明は省略する。
【００９４】
基地局５０は、メインボード６０と、ＲＦ／ＡＮＴボード７０と、を備えている。
【００９５】
メインボード６０は、ＳＷ切替部２３、ＡＤＣ６１、受信解析部６２、校正部６３を備えている。
【００９６】
ＲＦ／ＡＮＴボード７０は、切替ＳＷ３１、３２及び７１、ＳＷ切替部７２、ＤＣ７３、アレーアンテナ７４、加算器７５、増幅器群３５、移相器群３６、ＳＷ群３７を備えている。
【００９７】
測定装置８０は、基準信号発生器４１、ＤＡＣ４２、ＵＣ８１、送信アンテナ８２、ＳＷ切替部４３、ＡＤＣ４６、受信解析部４７、校正部４８を備えている。なお、本実施形態における受信解析部４７は、受信解析手段の一例である。
【００９８】
本実施形態における校正システム２は、測定装置８０の校正部４８を用いて基地局５０内のＲＦ／ＡＮＴボード７０を校正するＡＮＴボード校正モードと、基地局５０のメインボード６０内の校正部６３を用いて基地局５０全体を校正する基地局校正モードと、を有する。以下、校正システム２の詳細な構成について説明する。
【００９９】
まず、基地局５０のメインボード６０の構成について説明する。
【０１００】
ＡＤＣ６１は、ＤＣ７３が周波数変換した信号をアナログ値からデジタル値に変換し、受信解析部６２に出力するようになっている。
【０１０１】
受信解析部６２は、ＡＤＣ６１から出力されるベースバンドの信号を解析するようになっている。具体的には、受信解析部６２は、ＳＷ切替部２３によってアレーアンテナ７４のアンテナ素子が所定のタイミングで順次切り替わるに従って、アレーアンテナ７４のアンテナ素子が出力する受信信号を周波数変換後した信号について、電力及び位相を求める。また、受信解析部６２は、予め定められた電力基準値に対する電力差をアンテナ素子ごとに求める。また、受信解析部６２は、予め定められた１つのアンテナ素子の位相を基準位相として、その基準位相に対する位相差をアンテナ素子ごとに求める。なお、受信解析部６２は、受信解析手段の一例である。
【０１０２】
校正部６３は、ＲＦ／ＡＮＴボード７０のＤＣ７３によって周波数変換されたベースバンドの信号に基づいて、ＲＦ／ＡＮＴボード７０の各アンテナ素子から出力される出力信号の電力差及び位相差を校正するようになっている。具体的には、校正部６３は、電力基準値に対して各アンテナ素子から順次出力される出力信号の電力が所定の公差内に収まるよう、また、基準位相に対して各アンテナ素子から順次出力される出力信号の位相が所定の公差内に収まるよう、各アンテナ素子の電力及び位相を校正するようになっている。なお、校正部６３は、校正手段の一例である。
【０１０３】
次に、基地局５０のＲＦ／ＡＮＴボード７０の構成について説明する。
【０１０４】
切替ＳＷ７１は、ＳＷ切替部７２からの制御信号に基づいて、校正部４８又は６３と増幅器群３５及び移相器群３６とを接続するようになっている。
【０１０５】
ＳＷ切替部７２は、切替ＳＷ３１、３２及び７１の切替動作を制御するようになっている。
【０１０６】
具体的には、ＳＷ切替部７２は、ＡＮＴボード校正モードにおいて、測定装置８０の校正部４８と増幅器群３５及び移相器群３６とを接続するよう切替ＳＷ７１に制御信号を出力するようになっている。また、ＳＷ切替部７２は、基地局校正モードにおいて、メインボード６０の校正部６３と増幅器群３５及び移相器群３６とを接続するよう切替ＳＷ７１に制御信号を出力するようになっている。
【０１０７】
加算器７５は、増幅器群３５から入力した無線周波数の信号を加算してＤＣ７３に出力するようになっている。
【０１０８】
ＤＣ７３は、加算器７５から入力した無線周波数の信号をベースバンドの信号に周波数変換し、周波数変換した信号を切替ＳＷ３１に出力するようになっている。
【０１０９】
アレーアンテナ７４は、複数のアンテナ素子を備え、無線周波数の信号（電波）を送信アンテナ８２から受信するようになっている。アレーアンテナ７４は、アンテナ素子７４ａ〜７４ｃを含む。アレーアンテナ７４によって受信された無線周波数の信号は、ＳＷ群３７、移相器群３６、増幅器群３５及び加算器７５を順次経由してＤＣ７３に入力される。
【０１１０】
次に、測定装置８０の構成について説明する。
【０１１１】
ＵＣ８１は、ＤＡＣ４２から入力した基準信号を所定の無線周波数の信号に周波数変換し、周波数変換した信号を送信アンテナ８２に出力するようになっている。
【０１１２】
送信アンテナ８２は、無線周波数の信号（電波）をアレーアンテナ７４に送信するようになっている。
【０１１３】
前述の構成において、基準信号発生器４１、ＵＣ８１、送信アンテナ８２、校正部４８又は６３、ＳＷ群３７は、本発明に係る校正装置を構成する。
【０１１４】
なお、本実施形態では、校正部４８及び６３が、入力信号の電力差及び位相差の両方を校正するものとしているが、入力信号の電力差及び位相差のうち少なくとも一方を校正するものであってもよい。
【０１１５】
次に、本実施形態における校正システム２の動作について図４を用いて説明する。
【０１１６】
基地局５０及び測定装置８０の操作部（図示省略）を利用者が操作することにより、初期設定が行われる（ステップＳ１１）。
【０１１７】
モード設定において、ＡＮＴボード校正モードが設定されたものとして以下説明する。
【０１１８】
ＳＷ切替部７２は、切替ＳＷ３１の出力側を測定装置８０のＡＤＣ４６側に、切替ＳＷ３２の入力側を測定装置８０のＳＷ切替部４３側に、切替ＳＷ７１の入力側を測定装置８０の校正部４８側に、それぞれ設定する（ステップＳ３１）。
【０１１９】
基準信号発生器４１は、初期設定で設定されたベースバンドの基準信号を発生し（ステップＳ１３）、ＤＡＣ４２に出力する。ＤＡＣ４２は、入力した基準信号をデジタル値からアナログ値に変換し、ＵＣ８１に出力する。
【０１２０】
ＵＣ８１は、入力したアナログ値のベースバンド信号を所定の無線周波数の信号に周波数変換し（ステップＳ３２）、周波数変換した信号を送信アンテナ８２に出力する。
【０１２１】
送信アンテナ８２は、ＵＣ８１から出力される無線周波数の信号（電波）を送信する（ステップＳ３３）。
【０１２２】
アレーアンテナ７４は、送信アンテナ８２からの無線周波数の信号（電波）を受信する（ステップＳ３４）。
【０１２３】
ＳＷ群３７は、ＳＷ切替部４３からの制御信号に基づいて、各ＳＷを所定のタイミングで順次切り替え（ステップＳ１５）、移相器群３６に出力する。移相器群３６は、入力信号の位相を予め設定された位相に順次調整し、増幅器群３５に出力する。増幅器群３５は、入力信号の電力を予め設定された増幅率で順次増幅し、加算器７５に出力する。加算器７５は、増幅器群３５から入力した無線周波数の信号を加算してＤＣ７３に出力する。
【０１２４】
ＤＣ７３は、加算器７５からの信号をベースバンドの信号に周波数変換し（ステップＳ１８）、ＡＤＣ４６に出力する。ＡＤＣ４６は、ＤＣ７３が周波数変換した信号をアナログ値からデジタル値に変換し、受信解析部４７に出力する。
【０１２５】
受信解析部４７は、ＡＤＣ４６から出力されるベースバンドの信号を解析し（ステップＳ１９）、予め定められた電力基準値に対する電力差をアンテナ素子ごとに求める。また、受信解析部４７は、予め定められた１つのアンテナ素子の位相を基準位相として、その基準位相に対する位相差をアンテナ素子ごとに求める。
【０１２６】
校正部４８は、電力基準値に対して各アンテナ素子から順次出力される出力信号の電力が所定の公差内に収まるよう、また、基準位相に対して各アンテナ素子から順次出力される出力信号の位相が所定の公差内に収まるよう、各アンテナ素子の電力及び位相を校正する（ステップＳ２０）。
【０１２７】
なお、基地局校正モードでは、ＳＷ切替部２３、ＡＤＣ６１、受信解析部６２及び校正部６３が、それぞれ、前述のＳＷ切替部４３、ＡＤＣ４６、受信解析部４７及び校正部４８に代わって各処理を実行する。
【０１２８】
以上のように、本実施形態における校正システム２は、アレーアンテナ７４の各アンテナ素子と受信解析部４７又は６２の接続を所定のタイミングで順次切り替えるＳＷ群３７を備える構成としたので、多数のアンテナ素子を有する装置を校正する場合でも、従来のもののように、校正が煩雑になったり、完全直交しない成分同士の干渉が校正信号間で発生したりすることがない。
【０１２９】
したがって、本実施形態における校正システム２は、多数のアンテナ素子を有する装置を校正する場合でも、簡単な構成で高精度に校正することができる。
【０１３０】
なお、前述の実施形態において、被測定装置として基地局を例に挙げて説明したが、本発明はこれに限定されるものではなく、例えばＯＦＤＭ通信方式で通信する端末装置であっても同様な効果が得られる。
【０１３１】
また、前述の実施形態において、アレーアンテナ７４から受信解析部６２までの経路を１つの経路として説明したが、本発明はこれに限定されるものではなく、この経路を複数の並列経路に分割した構成としてもよい。
【産業上の利用可能性】
【０１３２】
以上のように、本発明に係る校正装置及び校正方法は、多数のアンテナ素子を有する装置を校正する場合でも、簡単な構成で高精度に校正することができるという効果を有し、アレーアンテナを備えた装置を校正する校正装置及び校正方法として有用である。
【符号の説明】
【０１３３】
１、２  校正システム
１０、５０  基地局（被測定装置）
２１、４１  基準信号発生器（基準信号生成手段）
３４  ＵＣ（アップコンバート手段）
３５  増幅器群
３５ａ〜３５ｃ  増幅器
３６  移相器群
３６ａ〜３６ｃ  移相器
３７  ＳＷ群（切替手段）
３７ａ〜３７ｃ  ＳＷ
３８、７４  アレーアンテナ
３８ａ〜３８ｃ、７４ａ〜７４ｃ  複数のアンテナ素子
４０、８０  測定装置
４４  受信アンテナ
４５、７３  ＤＣ（ダウンコンバート手段）
４７、６２  受信解析部（受信解析手段）
４８、６３  校正部（校正手段）
８１  ＵＣ（アップコンバート手段）
８２  送信アンテナ
【図１】
2018100839.tif 000003
【図２】
2018100839.tif 000004
【図３】
2018100839.tif 000005
【図４】
2018100839.tif 000006